(57)【要約】【課題】支持装置と枠体との間の連結が支持装置に損傷を与えにく、耐用性を向上させる折畳み型椅子を提供しようとする。【解決手段】前脚フレーム４１の左右両棒の上端近くに、それぞれ第１のスリーブ４３が上方にある所定の開脚位置と下方にある所定の閉脚位置との間に摺動自在に環装されており、前脚フレーム４１の左右両棒の上端近くと枠体３１の上部近くとの間の連結は、各第１のスリーブ４３と枠体３１との間の枢着により行われており、支持装置４が開脚状態になると、前脚フレーム４１の左右両棒は上方にある所定の開脚位置がそれに該当する第１のスリーブ４３まで摺動し、該所定の開脚位置に形成してある第１の係合部材４１１で第１のスリーブ４３に形成してある第２の係合部材４３１と係合して開脚状態を保持することができる折畳み型椅子。【選択図】図２
0003114088.tif 000002
【実用新案登録請求の範囲】
【請求項１】
常時に前後斜めになってその上斜面に座席が装着される枠体と、左右両棒を有する枠状の前脚フレームと後脚フレームとから、それらの左右両棒が互いに交差するように開閉脚自在に枢接されており、且つ前記前脚フレームの左右両棒がそれらの上端近くで前記枠体の上部近くに連結され、前記後脚フレームの左右両棒がそれらの上端近くで前記枠体の下部近くに連結されている支持装置とを備えている折畳み型椅子の骨組みであって、
前記前脚フレームの左右両棒の上端近くに、それぞれ第１のスリーブが少なくともそこのより上方にある所定の開脚位置とより下方にある所定の閉脚位置との間に摺動自在に環装されており、
前記前脚フレームの左右両棒の上端近くと前記枠体の上部近くとの間の前記連結は、前記各第１のスリーブと前記枠体との間の枢着により行われており、
また、前記前脚フレームの左右両棒の前記所定の開脚位置に第１の係合部材が形成してあり、前記第１のスリーブに、前記第１の係合部材と解除可能に係合することができる第２の係合部材が形成してあり、
それにより、前記支持装置が開脚状態になると、前記前脚フレームの左右両棒はそれぞれのより上方にある所定の開脚位置がそれに該当する第１のスリーブまで摺動し、該所定の開脚位置に形成してある第１の係合部材で前記第１のスリーブに形成してある第２の係合部材と係合して前記開脚状態を保持することができることを特徴とする折畳み型椅子の骨組み。
【請求項２】
常時に前後斜めになる枠体と該枠体の上斜面に装着された座席とを有する座席本体と、左右両棒を有する枠状の前脚フレームと後脚フレームとから、それらの左右両棒が互いに交差するように開閉脚自在に枢接されており、且つ前記前脚フレームの左右両棒がそれらの上端近くで前記枠体の上部近くに連結され、前記後脚フレームの左右両棒がそれらの上端近くで前記枠体の下部近くに連結されている支持装置とを備えている折畳み型椅子であって、
前記前脚フレームの左右両棒の上端近くに、それぞれ第１のスリーブが少なくともそこのより上方にある所定の開脚位置とより下方にある所定の閉脚位置との間に摺動自在に環装されており、
前記前脚フレームの左右両棒の上端近くと前記枠体の上部近くとの間の前記連結は、前記各第１のスリーブと前記枠体との間の枢着により行われており、
また、前記前脚フレームの左右両棒の前記所定の開脚位置に第１の係合部材が形成してあり、前記第１のスリーブに、前記第１の係合部材と解除可能に係合することができる第２の係合部材が形成してあり、
それにより、前記支持装置が開脚状態になると、前記前脚フレームの左右両棒はそれぞれのより上方にある所定の開脚位置がそれに該当する第１のスリーブまで摺動し、該所定の開脚位置に形成してある第１の係合部材で前記第１のスリーブに形成してある第２の係合部材と係合して前記開脚状態を保持することができることを特徴とする折畳み型椅子。
【請求項３】
前記第２の係合部材は、前記第１のスリーブの壁面に形成してある通孔であり、
前記第１の係合部材は、前記前脚フレームの左右両棒の前記所定の開脚位置に弾性的に出没可能に設置されていて前記支持装置が開脚状態になると前記通孔に嵌入してそれと係合することができる係止ピンを備えているものであることを特徴とする請求項２に記載の折畳み型椅子。
【請求項４】
前記前脚フレームの枠状はコ字形のものであり、該コ字形の前脚フレームはパイプで形成されており、且つそのコ字形の開口端が前記上端の方にあるように配置されてその前記左右両棒のそれぞれの上端が互いに独立したパイプ状の上端になっていることを特徴とする請求項３に記載の折畳み型椅子。
【請求項５】
前記前脚フレームの左右両棒の上端近くに第２のスリーブがそれと摺動可能に環装されており、該第２のスリーブには前記前脚フレームの左右両棒の外壁面と前記第１のスリーブの内壁面との間に延伸してなった開口付きの内挿部分があり、該内挿部分はその開口が前記第１のスリーブにある通孔と対応するように前記第１のスリーブと一体的に固定されていて前記支持装置が開脚状態になると前記係止ピンが前記開口と前記通孔とを経由して外に突出することができ、
また、前記第２のスリーブに、更に、その内挿部分以外の部分から開脚状態時の前記開口と前記通孔とを経由して突出した係止ピンの外側までに弾性的に延伸してなった押圧腕が設けられており、
それにより、開脚状態に前記押圧腕を押して前記係止ピンを前記開口及び前記通孔の奥側に沈没させると、前記支持装置を閉脚状態に調整することができることを特徴とする請求項４に記載の折畳み型椅子。
【請求項６】
前記第１の係合部材は、Ｖ字形を呈している板ばねと、該板ばねの外表面に形成してある前記係止ピンとからなっており、
前記板ばねは、そのＶ字形の前記係止ピンをもっているアームが自由端になるように前記前脚フレームのパイプ状の左右両棒の中に固定されており、
また、前記係止ピンは、前記前脚フレームのパイプ状の左右両棒の壁面に形成してある穿孔から突出していることを特徴とする請求項４に記載の折畳み型椅子。
【請求項７】
前記第１のスリーブは、前記枠体の上部近くに固設された取付枠に枢着されていることを特徴とする請求項２乃至６のいずれか一項に記載の折畳み型椅子。
【請求項８】
前記座席は、２つの弾性材からなった弾性層と、硬直性を有するものであって前記２つの弾性層の間に挟み込まれている支持体層とからなったものであることを特徴とする請求項２乃至６のいずれかに一項に記載の折畳み型椅子。
【請求項９】
前記２つの弾性層は、それぞれ前記枠体の中間スペース間に上下隙間をあけるように平らかに引渡されており、
前記支持体層は、前記隙間内に、下へ窪むように配置構成されていることを特徴とする請求項８に記載の折畳み型椅子。
【請求項１０】
前記前脚フレーム及び前記後脚フレームは、それぞれ、その前記左右両棒を連結している部分から左右２部分に分離できる構成になっていることを特徴とする請求項２乃至６のいずれか一項に記載の折畳み型椅子。
【考案の詳細な説明】
【技術分野】
【０００１】
本考案は、折畳み型椅子の骨組み及びそれを備えた折畳み型椅子に関する。
【背景技術】
【０００２】
この種の折畳み型椅子の一例としては、図１に示すように、常時に前後斜めになる枠体１０と該枠体１０の上斜面に装着された座席１１とを有する座席本体１と、左右両棒を有する枠状の前脚フレーム２１と後脚フレーム２２とから、それらの左右両棒が互いに交差するように開閉脚自在に枢接されており、且つ前脚フレーム２１の左右両棒がそれらの上端近くで枠体１０の上部近くに連結され、後脚フレーム２２の左右両棒がそれらの上端近くで枠体１０の下部近くに連結されている支持装置２とを備えてなったものがよく見られる。
【０００３】
詳細には、パイプ製の後脚フレーム２２の左右両棒の上端近くと枠体１０の下部近くとの連結は、枢着により行われている。パイプ製の前脚フレーム２１の左右両棒の上端近くの内部にスライドロッド２１１がスライド自在に挿入されているうえ、前脚フレーム２１の左右両棒の壁面における当該スライドロッド２１１に対応する箇所にスライド溝２１２と通孔２１３が設けられている。さらに、スライドロッド２１１には、一端がスライドロッド２１１に固定され他端がスライド溝２１２を通って枠体１０と連結されたスライダー２１４がスライド溝２１２に摺動自在に取り付けられており、また該スライダー２１４より上方にスライドロッド２１１の壁面から突出するように係止ピン２１５が内設されている。
【０００４】
前記のような折畳み型椅子においては、支持装置２が開脚状態になると、枠体１０とともにスライダー２１４がスライド溝２１２の最上端に摺動し、且つ係止ピン２１５がちょうど通孔２１３に係合して前記開脚状態を保持することができるので、使用者が座席１１につくことができる。一方、係止ピン２１５が通孔２１３内に押されてその係合が解除されると、枠体１０とともにスライダー２１４がスライド溝２１２の最下端に摺動して支持装置２が閉脚状態となり得るため、使用者がこのまま容易に椅子を収納することができる。
【考案の開示】
【考案が解決しようとする課題】
【０００５】
しかしながら、こうした従来の折畳み型椅子では、前脚フレーム２１の左右両棒にスライド溝２１２が設けられる必要があり、さらに支持装置２の開閉脚状態の変換にあたっては、スライダー２１４が頻繁に前脚フレーム２１に設けられているスライド溝２１２の最上端及び最下端に激しく突き当たるので、前脚フレーム２１自体がスライド溝２１２から裂けてしまいやすい。
【０００６】
また、こうした従来の折畳み型椅子の座席には、弾性的な材質で製作されたものなら座る人の自重によって下へ深く沈み込むことを避けるように、普通、硬質な布体で予め座る人の座った姿勢に合わせる窪んだ形に成形されたものがよく使われている。しかし、こういう座席は、予め座る人の座った姿勢に合わせる窪んだ形に成形されたので、椅子が閉脚状態にある時に、だらりと垂れ下がると、見られて美観を損なうばかりでなく、そこに長時間坐っていたら、硬質な布体によって使用者が疲れや痛みを感じる欠点もある。
【０００７】
そこで、本考案は、前記問題点に鑑みてなされたものであり、支持装置と枠体との間の連結は、支持装置（前脚フレームまたは後脚フレーム）にスライド溝が設けられる必要がなく、支持装置に損傷を与えにくい折畳み型椅子を提供することを第１の目的とする。
【０００８】
また、前記折畳み型椅子が閉脚状態にある時に、座席がだらりと垂れ下がらず、外観がすっきりとしたスタイルで、しかも座りごこちもよい折畳み型椅子を提供することを第２の目的とする。
【課題を解決するための手段】
【０００９】
前記第１の目的を達成するために、本考案は、まず、常時に前後斜めになってその上斜面に座席が装着される枠体と、左右両棒を有する枠状の前脚フレームと後脚フレームとから、それらの左右両棒が互いに交差するように開閉脚自在に枢接されており、且つ前記前脚フレームの左右両棒がそれらの上端近くで前記枠体の上部近くに連結され、前記後脚フレームの左右両棒がそれらの上端近くで前記枠体の下部近くに連結されている支持装置とを備えている折畳み型椅子の骨組みであって、前記前脚フレームの左右両棒の上端近くに、それぞれ第１のスリーブが少なくともそこのより上方にある所定の開脚位置とより下方にある所定の閉脚位置との間に摺動自在に環装されており、前記前脚フレームの左右両棒の上端近くと前記枠体の上部近くとの間の前記連結は、前記各第１のスリーブと前記枠体との間の枢着により行われており、また、前記前脚フレームの左右両棒の前記所定の開脚位置に第１の係合部材が形成してあり、前記第１のスリーブに、前記第１の係合部材と解除可能に係合することができる第２の係合部材が形成してあり、それにより、前記支持装置が開脚状態になると、前記前脚フレームの左右両棒はそれぞれのより上方にある所定の開脚位置がそれに該当する第１のスリーブまで摺動し、該所定の開脚位置に形成してある第１の係合部材で前記第１のスリーブに形成してある第２の係合部材と係合して前記開脚状態を保持することができることを特徴とする折畳み型椅子の骨組み、そして、前記折畳み型椅子の骨組みの枠体に座席が装着された折畳み型椅子を提供する。
【００１０】
また、前記第２の目的を達成するために、前記折畳み型椅子の構造に加えて、前記座席は２つの弾性材からなった弾性層と、硬直性を有するものであって前記２つの弾性層の間に挟み込まれている支持体層とからなったものであり、且つ前記２つの弾性層はそれぞれ前記枠体の中間スペース間に上下隙間をあけるように平らかに引渡されており、前記支持体層は前記隙間内に、下へ窪むように配置構成されていることを特徴とする折畳み型椅子を提供する。
【考案の効果】
【００１１】
前記構造による本考案は、前記各第１のスリーブを介して、即ち前記各第１のスリーブと前記枠体との間の枢着により、前記前脚フレームの左右両棒の上端近くと前記枠体の上部近くとの間が連結されているため、支持装置にスライド溝が設けられる必要がなく、支持装置に損傷を与えにくい。
【００１２】
また、前記支持体層は硬直性を有するものであって前記２つの弾性層の間に挟み込まれているうえ、前記２つの弾性層はそれぞれ前記枠体の中間スペース間に上下隙間をあけるように平らかに引渡されているので、前記折畳み型椅子が閉脚状態にある時に、前記座席は平坦でだらりと垂れ下がらず、外観がすっきりとしたスタイルで、しかも座りごこちもよくなる。
【考案を実施するための最良の形態】
【００１３】
以下、添付図面を参照して本考案の好適な実施形態を具体的に説明する。
【００１４】
図２は、本考案の一実施形態の折畳み型椅子の分解斜視図である。図３は、該実施形態の折畳み型椅子の開脚状態及び閉脚状態を示す側面図である。図４は、該実施形態の折畳み型椅子における前脚フレームの左右両棒の摺動状態及び第２の係合部材と係合した開脚時の状態を示す説明図である。図５は、図４の第２の係合部材と係合した開脚時の状態の側断面図である。
【００１５】
図２に示すように、該折畳み型椅子は、主として座席本体３と支持装置４とを備えてなったものである。
【００１６】
座席本体３は、常時に前後斜めになる枠体３１と、該枠体３１の上斜面に装着された座席３２とを有する。支持装置４は、左右両棒を有する枠状の前脚フレーム４１と後脚フレーム４２とから、それらの左右両棒が互いに交差するように開閉脚自在に枢接されており、且つ前脚フレーム４１の左右両棒がそれらの上端近くで枠体３１の上部近くに連結され、後脚フレーム４２の左右両棒がそれらの上端近くで枠体３１の下部近くに連結されている。即ち、枠体３１と支持装置４とは互いに組み合わせられて本考案の言う折畳み型椅子の骨組みになっている。この折畳み型椅子の骨組みに、座席３２がさらに装着されて本考案の言う折畳み型椅子になっている。
【００１７】
詳しく説明すると、前脚フレーム４１及び後脚フレーム４２の枠状はそれぞれコ字形のものであり、該コ字形の前脚フレーム４１及び後脚フレーム４２はパイプで形成されてなり、且つそのコ字形の開口端が前記上端の方にあるように配置されてその前記左右両棒のそれぞれの上端が互いに独立したパイプ状の上端になっている。また、前脚フレーム４１及び後脚フレーム４２は、それぞれ、その前記左右両棒を連結している部分４１Ａ、４２Ａから左右２部分に分離できる構造になっている。
【００１８】
さらに、前脚フレーム４１の左右両棒の上端近くに、それぞれ第１のスリーブ４３がそこのより上方にある所定の開脚位置とより下方にある所定の閉脚位置との間に摺動自在に環装されている。
【００１９】
後脚フレーム４２の左右両棒の上端近くと枠体３１の下部近くとの前記連結は、枢着により行われているが、前脚フレーム４１の左右両棒の上端近くと枠体３１の上部近くとの間の前記連結は、各第１のスリーブ４３と枠体３１との間の枢着により行われている。また、前脚フレーム４１の左右両棒の前記所定の開脚位置に第１の係合部材４１１が形成してあり、第１のスリーブ４３に、第１の係合部材４１１と解除可能に係合することができる第２の係合部材４３１が形成してある。
【００２０】
それにより、図３に示すように、支持装置４が開脚状態になると、前脚フレーム４１の左右両棒はそれぞれのより上方にある所定の開脚位置がそれに該当する第１のスリーブ４３まで摺動し、該所定の開脚位置に形成してある第１の係合部材４１１で第１のスリーブ４３に形成してある第２の係合部材４３１と係合して前記開脚状態を保持することができる。
【００２１】
具体的には、第２の係合部材４３１は、第１のスリーブ４３の壁面に形成してある通孔４３１Ａであり、第１の係合部材４１１は、前脚フレーム４１の左右両棒の前記所定の開脚位置に弾性的に出没可能に設置されていて支持装置４が開脚状態になると通孔４３１Ａに嵌入してそれと係合することができる係止ピン４１１１を備えているものである。
【００２２】
もっと詳しくは、第１の係合部材４１１は、Ｖ字形を呈している板ばね４１１２と、該板ばね４１１２の外表面に形成してある前記係止ピン４１１１とからなっており、板ばね４１１２は、そのＶ字形の係止ピン４１１１をもっているアームが自由端になるように前脚フレーム４１のパイプ状の左右両棒の中に固定されており、また、係止ピン４１１１は、前脚フレーム４１のパイプ状の左右両棒の壁面に形成してある穿孔４１２から突出している。
【００２３】
なお、前脚フレーム４１の左右両棒の上端近くに第２のスリーブ４４がそれと摺動可能に環装されている。該第２のスリーブ４４は、前脚フレーム４１の左右両棒の外壁面と第１のスリーブ４３の内壁面との間に延伸してなった開口４４１１付きの内挿部分４４１があり、該内挿部分４４１はその開口４４１１が第１のスリーブ４３にある通孔４３１Ａと対応するように第１のスリーブ４３と一体的に固定されていて支持装置４が開脚状態になると係止ピン４１１１が開口４４１１と通孔４３１Ａとを経由して外に突出することができる（図５参照）。
【００２４】
また、第２のスリーブ４４に、更に、その内挿部分４４１以外の部分から、開脚状態時の開口４４１１と通孔４３１Ａとを経由して突出した係止ピン４１１１の外側までに弾性的に延伸してなった押圧腕４４２が設けられている。それにより、開脚状態で押圧腕４４２を押して係止ピン４１１１を開口４４１１及び通孔４３１Ａの奥側に沈没させると、支持装置４を閉脚状態に調整することができる。従来、係止ピン４１１１を直接に指で押し付けるのに比べて、この押圧腕４４２を介して指で押し付けるのは、広い面で力を加えるので楽に係止ピン４１１１を沈没させることができるとともに、指が通孔４３１Ａと係止ピン４１１１との間の隙間に挟み込まれることを防止することもできるので、より好ましい。
【００２５】
また、本実施形態において、枠体３１の上部近く及び下部近くに四つの取付枠３１１が固設されている。前記後脚フレーム４２の左右両棒の上端近くも前記各第１のスリーブ４３もそれぞれ枠体３１の取付枠３１１に枢着されている。この場合、図２に示すように、こういう取付枠３１１と枠体３１との間に、及び前記すべての枢着、枢接のところにクッション材３１２が介設されていることは枠体３１及び支持装置４の摩耗を減少することができて好ましい。
【００２６】
図６は、本実施形態の座席の分解斜視図である。図７は、図６の座席の別の態様の分解斜視図である。図６に示すように、座席３２は、２つの弾性材からなった弾性層３２１、３２１と、硬直性を有するものであって２つの弾性層３２１、３２１の間に挟み込まれている支持体層３２２とからなったものである。また、２つの弾性層３２１、３２１は、それぞれ枠体３１の中間スペース間に上下隙間３１３をあけるように平らかに引渡されており、支持体層３２２は、隙間３１３内に下へ窪むように配置構成されている。ここで、２つの弾性層３２１、３２１の枠体３１に引渡されてそこに装着される方式は、縫着や、図７のようにスナップボタン３２３で脱着可能にした方法などがいろいろあるので、特に限定されない。
【００２７】
以上、本考案の好適な実施形態について説明したが、本考案は前記実施形態に限定されず、本考案の精神の範囲内において種々の変形や変更が可能であることは言うまでもない。
【産業上の利用可能性】
【００２８】
以上のように、本考案によれば、支持装置と枠体との間の連結が支持装置に損傷を与えにくく、耐用性を向上させるとともに、椅子が閉脚状態にある時に、座席がだらりと垂れ下がらず、美観を維持することができるし、座りごこちもよい。
【図面の簡単な説明】
【００２９】
【図１】従来の折畳み型椅子の一例の斜視図。
【図２】本考案の一実施形態の折畳み型椅子の分解斜視図。
【図３】本考案の一実施形態の折畳み型椅子の開脚状態及び閉脚状態を示す側面図。
【図４】本考案の一実施形態の折畳み型椅子における前脚フレームの左右両棒の摺動状態及び第２の係合部材と係合した開脚時の状態を示す説明図。
【図５】図４の第２の係合部材と係合した開脚時の状態の側断面図。
【図６】本考案の一実施形態の座席の分解斜視図。
【図７】図６の座席の別の態様の分解斜視図。
【符号の説明】
【００３０】
３…座席本体、３１…枠体、３１１…取付枠、３１２…クッション材、３１３…隙間、３２…座席、３２１…弾性層、３２２…支持体層、３２３…スナップボタン、４…支持装置、４１…前脚フレーム、４１１…第１の係合部材、４１１１…係止ピン、４１１２…板ばね、４１Ａ…左右両棒を連結している部分、４１２…穿孔、４２…後脚フレーム、４２Ａ…左右両棒を連結している部分、４３…第１のスリーブ、４３１…第２の係合部材、４３１Ａ…通孔、４４…第２のスリーブ、４４１…内挿部分、４４１１…開口、４４２…押圧腕。
【図１】
0003114088.tif 000003
【図２】
0003114088.tif 000004
【図３】
0003114088.tif 000005
【図４】
0003114088.tif 000006
【図５】
0003114088.tif 000007
【図６】
0003114088.tif 000008
【図７】
0003114088.tif 000009